(57)【要約】【課題】使用目的に関係するイラスト、写真などの表現形態を差し替え可能にし、記録対象に応じたマーカを用いて暦で定めた期間内に記録し、当該マーカから目標の評価を行なう。【解決手段】使用目的１Ａ、目標を掲げた期間分の月暦２、記録対象名３が印刷され、この記録対象名に関して目標４とその結果を記録する記録部５を設け、使用目的１Ａに関係した各種の表現形態７を入れ替え可能に領域部６に配置し、上記の結果が出る度に暦と記録部にマーカ８を用いて記録する。【選択図】図１
2005145025.tif 000002
【特許請求の範囲】
【請求項１】
月別の暦と使用目的に関する記録対象名とを印刷したカレンダーにおいて、
前記暦で設定される期間内の前記記録対象名に対応させた目標とその結果を記録する記録部と、
前記記録対象名に関係した各種の表現形態を入れ替え可能に配置する領域部と、
前記結果が出る度に前記暦と記録部に記すマーカと、を備え、
前記マーカを記した日と期間内のマーカの量により前記記録対象名に関する前記目標の評価ができるようにしたことを特徴とするカレンダー。
【請求項２】
請求項1において、各種の表現形態がイラスト、写真、絵、グラフ、数式、文字、図を単一または複数組み合わされていることを特徴とするカレンダー。
【請求項３】
請求項1において、マーカがシール、マーカペン、スタンプであることを特徴とするカレンダー。
【請求項４】
請求項1〜３のいずれかの記載において、目標を複数とし、各目標と結果とを対応させて記録する記録部を設け、前記各目標毎に異なる複数のマーカを備え、暦および記録部に付けられたマーカにより目標が評価できるようにしたことを特徴とするカレンダー。
【発明の詳細な説明】
【技術分野】
【０００１】
本発明は自動車による交通事故防止を対象とした無事故推進、病院や学校などの公共施設、会社などの企業施設などで起こる事故防止を対象とした無事故推進、或は教育や研修の効果を得ることなどを使用目的としたカレンダーに関するものである。
【背景技術】
【０００２】
従来から各種の使用目的を持たせたカレンダーが利用されている。例えば、交通事故防止カレンダーや目的表示型カレンダーが知られている。この種のカレンダーは予め危険日や注意日を月別の暦に印刷されたもの、或は印刷された表示枠に使用目的の内容を記載した表示札を貼り付けるものである。
【０００３】
【特許文献１】特開平１０−１９３８３５号公報
【特許文献１】実用新案登録第３０９４９４８号公報
【発明の開示】
【発明が解決しようとする課題】
【０００４】
本発明は使用目的に関係するイラスト、写真、絵、グラフ、数式、文字、図で作成された表現形態を差し替え可能にし、記録対象に応じたマーカを用いて暦で定めた期間内に記録し、当該マーカから目標の評価を行なうことができるカレンダーを提供することを目的とする。
【課題を解決するための手段】
【０００５】
請求項１の発明は月別の暦と目的に関する記録対象名とを印刷したカレンダーにおいて、暦で設定される期間内の記録対象名に対応させた目標とその結果を記録する記録部と、記録対象名に関係した各種の表現形態を入れ替え可能に配置する領域部と、結果が出る度に暦と記録部に記すマーカとを備え、マーカを記した日と期間内のマーカの量により記録対象名に関する目標の評価ができるようにしたことを特徴とする。
【０００６】
請求項２の発明は、請求項1において、各種の表現形態がイラスト、写真、絵、グラフ、数式、文字、図を単一または複数組み合わされていることを特徴とする。
【０００７】
請求項３の発明は、請求項1において、マーカがシール、マーカペン、スタンプであることを特徴とする。
【０００８】
請求項４の発明は、請求項1〜３のいずれかの記載において、目標を複数とし、各目標と結果とを対応させて記録する記録部を設け、各目標毎に異なる複数のマーカを備え、暦および記録部に付けられたマーカにより目標が評価できるようにしたことを特徴とする。
【発明の効果】
【０００９】
請求項１の発明によれば、使用目的と暦と記録対象名を印刷し、その目的を達成するために最も効果的な表現形態を差し替え可能に配置するとともに、所定の期間に記録対象名に応じたマーカを用意し、記録対象が起きたときマーカを用いて暦と記録部に記録する。これにより期間内に記録されたマーカから目標の評価を行なうことが可能となる。
【００１０】
請求項２の発明によれば、使用目的の達成に最適な表現形態を差し替えができるので、例えば定期的に差し替えることで、マンネリ化を防ぎ、使用目的を注目させ、その関心を高める、つまり意識を高揚させることができる。
【００１１】
請求項３の発明によれば、マーカとして、シール、マーカペン、スタンプを使用することで、記録がし易くなる。
【００１２】
請求項４の発明によれば、目標毎に異なる種類、例えば色や形の異なるマーカを用いることで、同じ種類のマーカ量を目安とした達成度が一目で分かる。
【発明を実施するための最良の形態】
【００１３】
本発明はカレンダーの暦で定めた期間内に記録されたマーカから目標の評価を行なうことを目的とし、使用目的・記録対象名を印刷し、その目的を達成するために最も効果的な表現形態を差し替え可能に配置するとともに、記録対象が起きたときマーカを用いて暦と記録部に記録することでに実現した。
【実施例１】
【００１４】
図１は、本発明のカレンダーの１実施例を示す図である。本実施例は交通事故などの事故を少なくすることを目標とした無事故推進カレンダーである。カレンダー１は目標を掲げた期間分の月暦を１枚のシートに印刷している。本例では当年４月から翌年３月までの１２ケ月を目標期間（年度）としている。カレンダー１には月別の暦２と、この暦２で設定される期間内に行なう具体的な記録対象名３が印刷され、この記録対象名３に対して当年を含む過去の数年分、例えば平成１３年度〜平成１５年度の目標４とその結果を記録する記録部５と、この使用目的１Ａに関係した各種の表現形態７を入れ替え可能に配置する領域部６と、上記の結果が出る度に暦２と記録部５にマーカ８を貼り付けて記録する。
【００１５】
領域部６は使用目的に関係したイラスト、写真、絵、グラフ、数式、文字、図を単一または複数組み合わせて構成される表現形態７が差し替え可能に貼り付けられる。例えば、本発明のカレンダーは、会社、事業所、団体などあらゆる組織体において使用目的１Ａに応じて各種の表現形態７が利用可能である。使用目的１が無事故推進カレンダーの場合、図示の例では会社周辺の危険箇所を記した地図とイラストが貼られている。このイラストは数種類のケースが用意され、各ケースにおける危険箇所の状況からの判断、或は選択肢が描かれており、対象者が見てどのような行動をとるかなどを感じさせる。このような表現形態を定期的に差し替えることで、繰り返し危険箇所での対処法を学習させ、その結果無事故を達成する。
【００１６】
病院、介護施設、学校などの公共や福祉施設内での無事故推進、又は企業の無事故推進の為のカレンダーの場合は、施設や事業所内の特定エリアで起こる怪我などの事故を減少させるため、当該エリアで過去に起きた事例や予測される事故を対象とし、その記録対象名を決めるとともにそれに適した表現形態を作成する。施設や事業所内の事故を未然に防ぐとともに、発生した事故を記録することでその原因を突き止め、必要な改善を行なうことで、無事故推進ができる。
【００１７】
マーカ８は記録対象に応じてシール、マーカペン、スタンプを使用し、複数の記録対象があるときは異なる色や形を使用することで、各記録対象の識別が可能となる。例えば使用目的が無事故推進の場合は、加害人身事故、加害物損事故、人身事故、物損事故、加害人身事故（交通事故）、加害物損事故（交通事故）、加害人身事故（交通事故）、加害物損事故（交通事故）が記録対象となり、それぞれが一目で認識できるようにマーカが選択される。この記録対象は当年分と目標となる数年間の過去分が印刷されており、必要に応じて記入され、当年分との比較が可能に構成されている。
【００１８】
次に本実施例のカレンダーの使用法を無事故推進により説明する。
領域部６には表現形態７として危険箇所を示す地図とその箇所として交差点におけるドライバの運転状況を描いたイラストが貼られている。ドライバへの設問は１Ｒ〜４Ｒ（符号９）が用意されている。この仮定で加害人身事故が８月１日に起きたとしたとき、その日にシール８を貼り、当年の記録部５に同じシール８を貼る。これを期間を通して実施することで記録部５のシール８の量と暦２の発生日を見て目標の評価が行なわれる。
【図面の簡単な説明】
【００１９】
【図１】本発明の１実施例のカレンダーの説明図である。
【符号の説明】
【００２０】
１    カレンダー
１Ａ  使用目的
２    月別の暦
３    記録対象名
４    目標
５    記録部
６    領域部
７    表現形態
８    マーカ
【図１】
2005145025.tif 000003